(57)【要約】【課題】接続管にポンプを取り付ける際の位置決めを容易にすると共に、ポンプの始動時及び運転時に接続管との接続部分に生じる漏れを防ぐポンプの着脱装置を提供すること。【解決手段】マンホール内の側方に向かって開口する開口部１２ａを有する接続管１０と、ガイドパイプ４にガイドされてマンホール内を昇降する水中ポンプ１と、水中ポンプ１の吐出し口２ａに接続された側方に向いた開口部３２を有する吐出し管３０とを備えたポンプの着脱装置において、接続管路１２の開口部１２ａにガイドリブ１０ａ，１０ａを取り付け、吐出し管３０の開口部３２の側面３２ａ，３２ａをガイドリブ１０ａ，１０ａの内側に嵌合させるよう構成した。また、吐出し管３０の開口部３２の上部から突出した係合部３３の爪部３３ａとの隙間を狭くする平坦部を接続管路１０の側面に設けた。【選択図】      図２
2005009453.tif 000002
【特許請求の範囲】
【請求項１】
ピット内に設置された接続管の側方に開口する開口部に、昇降手段によって前記ピット内を昇降するポンプの吐出し管の開口部を着脱させる着脱機構を具備するポンプの着脱装置において、
前記着脱機構は、前記接続管の開口部近傍に前記ポンプの吐出し管の開口部を該接続管の開口部に案内するガイドリブを備えたことを特徴とするポンプの着脱装置。
【請求項２】
請求項１に記載のポンプの着脱装置において、
前記着脱機構は、前記吐出し管の開口部から突出して前記接続管の側面に対向する爪部を設けるとともに、前記接続管の側面に前記接続管と前記爪部の先端部との隙間を狭くするような当接部を設けたことを特徴とするポンプの着脱装置。
【請求項３】
請求項２に記載のポンプの着脱装置において、前記爪部は前記接続管の上側面に対向して設けられ、前記当接部は前記接続管の上側面に接続管の流路と平行な平坦部として形成したことを特徴とするポンプの着脱装置。
【発明の詳細な説明】
【０００１】
【発明の属する技術分野】
本発明は、汚水、汚物、雑排水等に使用されるポンプの開口部を、ピット内等に開口した接続管の開口部に着脱するポンプの着脱装置に関するものである。
【０００２】
【従来の技術】
従来、ピット（例えばマンホール）内には、マンホールの下部に通流している下水を汲み上げる等の目的で、特許文献１に示すような着脱装置を具備したポンプ（水中ポンプ）が設置されている。図１にマンホール内に設置した従来のこの種のポンプ着脱装置を備えた水中ポンプの構成例を示す。図１において、マンホール（図示せず）内の所定位置には、水中ポンプ１００を接続するための接続管１１０が取り付けられている。接続管１１０は、基台１１３に取り付けられた接続管路１１２が略水平に設置されたもので、一端側（流入側）の開口部１１２ａがマンホール内に側方を向いて開口している。接続管路１１２の開口部１１２ａの上側面には接続管路１１２の軸方向と直角に接続管路１１２の全幅に渡って突起部１１５が設けられている。突起部１１５は、その断面形状が上面が水平である略台形になっている。また接続管路１１２は他端側（流出側）の端部近傍で上方に向かって屈曲しており、流出側の開口部１１２ｂは上方を向いて開口し、その先は吐出管路１１４へと接続されている。
【０００３】
さらに、接続管１１０の両側部に、基台１１３上面から上方に向かってマンホールの内壁に沿って２本のガイドパイプ１１１，１１１（一方のみ図示する）が取り付けられている。このガイドパイプ１１１，１１１によって、作業員がマンホール内に入り込むことなく、水中ポンプ１００を所定の位置、即ち水中ポンプ１００の吐出し管１３０の開口部１３１が接続管１１０に接続する位置まで降下させることが可能となる。つまり、水中ポンプ１００を、ガイドパイプ１１１，１１１によってガイドしながらマンホール内を昇降させる構成となっている。
【０００４】
水中ポンプ１００は、電動機１００ａとポンプ１００ｂが一体に構成されたもので、ポンプ１００ｂに吸込口１０２ｂと吐出口１０２ａを備えたポンプケーシング１０２を被せ、ポンプケーシング１０２の吐出口１０２ａには吐出し管１３０が取り付けられている。この吐出し管１３０は、その吐出側の開口部１３１が側方に向かって開口している。また、吐出し管１３０にはガイドパイプ１１１，１１１を通すガイド穴１３２ａ，１３２ａが形成された案内部１３２，１３２（一方のみ図示する）が開口部１３１側の端面から突出して設けられている。
【０００５】
さらに、吐出し管１３０の開口部１３１の上部の端面から略水平方向に突出した、案内部１３２と一体に形成された係合部１３３が設けられている。係合部１３３はその先端側が下方に向かって突出した爪部１３３ａとして構成されている。そしてこの爪部１３３ａと、開口部１３１の上部端面との間は溝部１３３ｂとなっている。この溝部１３３ｂの幅は、接続管路１１２に設けられた突起部１１５が嵌るように、突起部１１５と略同一の幅に形成されている。
【０００６】
この水中ポンプ１００をマンホール内に設置するには、吐出し管１３０の案内部１３２，１３２をガイドパイプ１１１，１１１に通すとともに、電動機１００ａの上部に取り付けた籠状のラック１０４に接続したチェーン１０５により、水中ポンプ１００をマンホールの外部から鉛直下方に吊下げて降下させる。このとき水中ポンプはガイドパイプ１１１，１１１によりガイドされながらマンホール内を降下する。そして、水中ポンプ１００が接続管１１０の位置まで降下してくると、溝部１３３ｂに、突起部１１５が入り込み、爪部１３３ａの側面と突起部１１５の側面とが当接する。このとき、接続管路１１２の開口部１１２ａと吐出し管１３０の開口部１３１とが接合される。すると水中ポンプ１００にはその自重により、爪部１３３ａと当接部１１５との当接点を支点として、接続管路１１２の開口部１１２ａに吐出し管１３０の開口部１３１が押し当てられる方向のモーメントが作用する。これにより、開口部１１２ａと開口部１３１との接合部が圧接され、水密状態となりその状態が保持される。以上により水中ポンプ１００の取り付けが完了する。
【０００７】
しかしながら、このような従来の水中ポンプ１００の着脱装置では、水中ポンプ１００をマンホール内で昇降させる際に、案内ガイドとなるものは、上記ガイドパイプ１１１，１１１のみであった。したがって、ガイドパイプ１１１，１１１に沿って水中ポンプ１００を降下させると、ガイドパイプ１１１，１１１と案内部１３２，１３２のガイド穴１３２ａ，１３２ａとの間にガタが生じ、水中ポンプ１００が左右に振れながら降下する。ところが、このように水中ポンプ１００が左右に振れながら降下すると、接続管路１１２の開口部１１２ａと吐出し管１３０の開口部１３１との位置決めが困難となり、これら開口部１１２ａと開口部１３１同士の接合が不完全となってしまう。
【０００８】
接続管路１１２の開口部１１２ａと吐出し管１３０の開口部１３１との接合が不完全な状態で、水中ポンプ１００を始動すると、この接合部分で汚水等の漏れが発生しやすいという問題があった。また、水中ポンプ１００を始動した時に水中ポンプ１００からの吐出水の圧力による反動で水中ポンプ１００が動き、該接合部分に漏れが発生するという問題もあった。
【０００９】
【特許文献１】
特開平８−２００２７９号公報
【００１０】
【発明が解決しようとする課題】
本発明は上述の点に鑑みてなされたもので、接続管にポンプを取り付ける際の位置決めを容易にすると共に、ポンプの始動時及び運転時に接続管の開口部とポンプの吐出し口との接合部分に生じる漏れを防ぐポンプの着脱装置を提供することを目的とするものである。
【００１１】
【課題を解決するための手段】
上記課題を解決するため請求項１に記載の発明は、ピット内に設置された接続管の側方に開口する開口部に、昇降手段によって前記ピット内を昇降するポンプの吐出し管の開口部を着脱させる着脱機構を具備するポンプの着脱装置において、前記着脱機構は、前記接続管の開口部近傍に前記ポンプの吐出し管の開口部を該接続管の開口部に案内するガイドリブを備えたことを特徴とする。
【００１２】
上記のように、接続管の開口部近傍にガイドリブを備えたので、ポンプの吐出し口を接続管の開口部に取り付ける際に、該ガイドリブにポンプの吐出し管が嵌合し、ポンプの吐出し管の開口部と接続管の開口部との位置決めが容易になる。
【００１３】
また請求項２に記載の発明は、請求項１に記載のポンプの着脱装置において、前記着脱機構は、前記吐出し管の開口部から突出して前記接続管の側面に対向する爪部を設けるとともに、前記接続管の側面に前記接続管と前記爪部の先端部との隙間を狭くするような当接部を設けたことを特徴とする
【００１４】
上記のように、接続管の側面に接続管と爪部の先端部との隙間を狭くするような当接部を設けたので、ポンプ始動時にポンプが吐出水から受ける反動により動こうとした場合でも、吐出し管の爪部と該当接部とが当接することで、ポンプが動くことを防ぐことができる。
【００１５】
また、請求項３に記載の発明は、請求項２に記載のポンプの着脱装置において、前記爪部は前記接続管の上側面に対向して設けられ、前記当接部は前記接続管の上側面に接続管の流路と平行な平坦部として形成したことを特徴とする。
【００１６】
上記のように、爪部は前記接続管の上側面に対向して設けられ、前記当接部は前記接続管の上側面に接続管の流路と平行な平坦部として形成したことにより、ポンプの始動時及び運転時にポンプが動くことを防ぎ、ポンプと取り付け管との接続部に生じる漏れを防ぐことが可能となる。
【００１７】
【発明の実施の形態】
以下、本発明の実施の形態例を図面に基づいて説明する。図２は例えばマンホール等のピット内に設置された、本発明に係るポンプ着脱装置を備えた水中ポンプの構成例を示す側面図であり、図３（ａ）はマンホール内に設置された接続管を示す平面図であり、同図（ｂ）は同図（ａ）のＢ−Ｂ断面図、同図（ｃ）は同図（ａ）のＡ−Ａ断面図である。
【００１８】
マンホール内には、図２及び図３に示す接続管１０が設置されている。この接続管１０は図３（ｂ）に示すように、接続管路１２を略水平に基台１５の上部に取り付けて構成され、接続管路１２の流入側の開口部１２ａをマンホール内の側方に向かって開口している。そして、接続管路１２の開口部１２ａの上側面には接続管路１２の軸方向と直角に接続管路１２の全幅に渡って突起部１１が設けられている。突起部１１は図３（ｃ）に示すように、その断面形状が上面が水平である略台形になっている。さらに、開口部１２ａ側の左右両側には、縦方向に、開口部１２ａの直径と略同一長さの２本のガイドリブ１６，１６が突出して設けられている。
【００１９】
さらに、突起部１１の両端から接続管路１２の軸方向であって流出口側に向かって、その上面が平坦になった平坦部１４，１４が突出している。平坦部１４，１４はその高さが、突起部１１よりも低くなっているが、平坦部１４，１４の上面が、その部分における接続管路１２の側面の高さよりも高い位置となるように取り付けられている。
【００２０】
接続管路１２はその流出側端部の近傍において、略直角方向に曲げられて上方を向くように構成されている。そして吐出側の開口部１２ｂは上方に向かって開いており、開口部１２ｂには、略垂直に取り付けられた吐出管路２０が接続されている。
【００２１】
一方、接続管路１２の左右両側部には、基台１５から上方に向かって鉛直に２本のガイドパイプ４，４が取り付けられている。このガイドパイプ４，４はマンホールの側壁に沿うように取り付けられ、その他端側はマンホールの入口近傍まで延びている。
【００２２】
水中ポンプ４０は、電動機部４１とポンプ部４２とを具備し、電動機部４１の下部にポンプ部４２を取り付けて一体に構成したものである。電動機部４１の上面には籠状のラック５０がビス５１によって取り付けられており、ラック５０には、水中ポンプをマンホールの穴から鉛直下方に吊下げて昇降させるためのチェーン６０が取り付けられている。また、ポンプ部４２のポンプケーシング４４は、下方に向かって開口する吸込み口４４ｂと、上方に向かって開口する吐出し口４４ａとを備えており、電動機部４１のケーシング４３にビス４５で固定されている。
【００２３】
ポンプケーシング４４の吐出し口４４ａには、吐出し管３０がビス３５で接合されている。この吐出し管３０はポンプケーシング４４の吐出し口４４ａと接合される開口部３１を下方に向けて設け、吐出側の開口部３２をマンホールの内側面に開口する接続管路１２の開口部１２ａに接合できるよう、側方に向かって開口して構成されている。開口部３２の口径は上記の接続管路１２の開口部１２ａと同一に構成され、吐出し管３０の開口部３２の両側部３２ａ，３２ａ（一方のみ図示する）間の幅は、接続管１０に設けた２本のガイドリブ１６，１６（一方のみ図示する）の内側の幅と略同一である幅寸法に形成されている。
【００２４】
さらに、吐出し管３０の開口部３２の上部の端面から、略水平方向に係合部３３が突出しており、係合部３３はその先端側が下方に向かって突出した爪部３３ａとして構成されている。爪部３３ａはその下端面が上記の平坦部１４の上部平面と当接する形状に形成されている。また、爪部３３ａと、開口部３２の上部端面との間は溝部３３ｂとなっている。この溝部３３ｂの幅は、上記の接続管路１２に設けられた突起部１１が嵌るように、突起部１１と略同一の幅に形成されている。
【００２５】
また、吐出し管３０の開口部３２側の端面から水平方向に突出した、係合部３３と一体に構成された案内部３４，３４（一方のみ図示する）には、上記２本のガイドパイプ４，４を通すガイド穴３４ａ，３４ａが設けられている。このガイド穴３４ａ，３４ａは、その内部にガイドパイプ４，４を通して水中ポンプ４０をガイドしながら上下に昇降することが可能な径に形成されている。
【００２６】
次に、上記のような構成の水中ポンプ４０の吐出し管３０の開口部３２を、接続管１０の接続管路１２の開口部１２ａに接合させる手順を説明する。マンホールの入口近傍において、吐出し管３０の案内部３４，３４に設けられたガイド穴３４ａ，３４ａにガイドパイプ４，４を通し、このガイドパイプ４，４に沿って水中ポンプ４０をマンホール内に降下させる。このとき、水中ポンプ４０はチェーン６０に吊下げられ、その重量が支えられている。そして水中ポンプ４０が接続管１０の位置まで降下してくると、吐出し管３０の開口部３２の両側部３２ａ，３２ａが、接続管路１２の開口部１２ａの左右両側に設けたガイドリブ１６，１６の内側に嵌合する。これにより水中ポンプ４０の吐出し管３０の開口部３２は、接続管路１２の開口部１２ａに正確に位置決めされることになる。さらに水中ポンプ４０を降下させると、両側部３２ａ，３２ａがガイドリブ１６，１６の内側に嵌合した状態を保ったまま降下してゆき、接続管１０の突起部１１が、吐出し管３０の溝部３３ｂ内に入り込み、爪部３３ａの側面と突起部１１の側面が当接することで、水中ポンプ４０が固定される。このとき、開口部３２の両側部３２ａ，３２ａとガイドリブ１６，１６の内側面が嵌合しているので、吐出し管３０の開口部３２と接続管路１２の開口部１２ａが正確に一致した状態で接合され、該接合部分は水密状態となる。そのうえ、吐出し管３０が接続管１０に対してしっかりと固定されているため、水中ポンプ４０が動く恐れがない。
【００２７】
さらに、上記の嵌合状態に加えて、爪部３３ａの側面と突起部１１の側面が当接しているので、この当接点を支点として、水中ポンプ４０にはその自重により回転方向（図では時計回りの方向）にモーメントが生じることとなる。これにより、接続管路１２の開口部１２ａと吐出し管３０の開口部３２との接合部分を圧接する力が働き、該接合部分がさらに水密状態に取り付けられ、その状態を保持することができる。
【００２８】
上記の手順で取り付けられた水中ポンプ４０の電動機部４１を起動すると、その回転力がポンプ部４２に伝わることで、吸込み口４４ｂから吸込まれたマンホール下部に通流する下水内の汚水は、吐出し管３０から、接続管路１２を通って吐出管路２０へと送られる。このとき、吐出し管３０の開口部３２から吐出される汚水の圧力により、水中ポンプ４０には吐出し管３０の開口部３２と接続管路１２の開口部１２ａとを引離そうとする方向に力が加わることとなる。水中ポンプ４０の自重による力が吐出される汚水の圧力による力よりも大きいうちは、水中ポンプ４０が動くことはないが、水中ポンプ４０の自重による力よりも汚水の圧力による力のほうが大きくなった場合には、水中ポンプ４０の吐出し管３０の開口部３２が接続管路１２の開口部１２ａから離れる方向に動いてしまう。
【００２９】
ところが、本実施形態例では、吐出し管３０に設けた爪部３３ａの先端部との隙間が狭くなるように接続管１０に平坦部１４，１４が設けられているので、水中ポンプ４０が、上記の接合面が離れる方向に動こうとすると、この爪部３３ａの先端部と平坦部１４，１４の上面とが当接して、水中ポンプ４０が動くことを抑える。したがって、水中ポンプ４０の始動時及び運転時に水中ポンプ４０の吐出し管３０の開口部３２が接続管路１２の開口部１２ａから離れる方向へ動くことを防ぎ、接合部に隙間が生じて汚水が漏れることを防止することができる。
【００３０】
またこのとき、吐出し管３０の開口部３２から吐出される汚水の圧力により、水中ポンプ４０が左右に振れて動いてしまい、接合部に隙間が生じ汚水が漏れる危険があるが、本実施形態例の水中ポンプ４０はガイドリブ１６，１６と吐出し管３０の両側部３２ａ，３２ａとにより嵌合状態で固定されているので、力が加わっても水中ポンプ４０が左右に動くことはない。したがって、水中ポンプの起動時及び運転時でも接合部分は水密状態を維持することができ、汚水が漏れることはない。
【００３１】
なお、接続管に設けたガイドリブの形状、本数、取り付け位置は上記の実施形態に限定されるものではなく、吐出し管の開口部を接続管の開口部に対して位置決めできるものであればよい。
【００３２】
また、吐出し管に設けた係合部及び爪部の取り付け位置、形状や、接続管に設けた突起部、平坦部の位置、形状も上記実施形態に限定されるものではなく、吐出し管の爪部と平坦部との隙間が管路側面との隙間よりも小さくなるものであればどのような取り付け位置、形状であってもよい。
【００３３】
以上本発明の実施形態を説明したが、本発明は上記実施形態に限定されるものではなく、特許請求の範囲、及び明細書と図面に記載された技術的思想の範囲内において種々の変形が可能である。なお、直接明細書及び図面に記載がない何れの形状や構造であっても、本願発明の作用・効果を奏する以上、本願発明の技術的思想の範囲内である。
【００３４】
【発明の効果】
以上説明したように本発明によれば、以下のような優れた効果を有する。
請求項１に記載の発明によれば、接続管の開口部近傍に吐出し管が嵌入するガイドリブを備えたことで、ポンプを接続管に取り付ける際に、ポンプの位置決めをすることができると共に、ポンプの始動時及び運転時においてポンプが動くことを防ぎ、取り付け管との接続部に生じる漏れを防ぐことができる。
【００３５】
また請求項２に記載の発明によれば、ポンプの始動時及び運転時にポンプが動くことを防ぎ、ポンプと取り付け管との接続部に生じる漏れを防ぐことが可能となる。
【００３６】
請求項３に記載の発明によれば、ポンプの始動時及び運転時にポンプが動くことを防ぎ、ポンプと取り付け管との接続部に生じる漏れを防ぐことが可能となる。
【００３７】
上記のように、各請求項に記載の発明によれば、ポンプの始動時及び運転時における漏れを効果的に防ぐことができるので、ポンプの運転効率の悪化を防ぐことが可能となる。
【図面の簡単な説明】
【図１】従来のポンプ着脱装置を備えた水中ポンプの構成例を示す図である。
【図２】本発明に係るポンプ着脱装置を備えた水中ポンプの構成例を示す図である。
【図３】接続管１０の構成を示す図であり、（ａ）は接続管１０の平面図、（ｂ）は（ａ）のＢ−Ｂ断面図、（ｃ）は（ａ）のＡ−Ａ断面図である。
【符号の説明】
４，４      ガイドパイプ
１０        接続管
１１        突起部
１２        接続管路
１２ａ      開口部
１２ｂ      開口部
１４        平坦部
１５        基台
１６，１６  ガイドリブ
２０        吐出管路
３０        吐出し管
３１        開口部
３２        開口部
３２ａ，３２ａ  両側部
３３        係合部
３３ａ      爪部
３３ｂ      溝部
３４，３４  案内部
３４ａ，３４ａ  ガイド穴
３５        ビス
４０        水中ポンプ
４１        電動機部
４２        ポンプ部
４３        ケーシング
４４        ポンプケーシング
４４ａ      吐出し口
４４ｂ      吸込み口
４５        ビス
５０        ラック
５１        ビス
６０        チェーン
【図１】
2005009453.tif 000003
【図２】
2005009453.tif 000004
【図３】
2005009453.tif 000005